(57)【特許請求の範囲】
【請求項１】
移動可能に取り付けられる家具部分（１１０）であって、
同期ロッド（２０）であるトルク伝達シャフト（１０）を含んでおり、
シャフト（２０）は少なくとも２つのシャフト部分を有しており、
一方のシャフト部分はロッド形状部材（２）であり、
他方のシャフト部分は接続部分（３）の形態であり、
本家具部分は、
前記ロッド形状部材（２）を、該ロッド形状部材（２）を前記接続部分（３）と共に弾性的に保持する少なくとも１つのバネ（４）で前記接続部分（３）に接続するための接続装置（１００）をさらに含んでおり、
前記ロッド形状部材（２）及び／又は前記接続部分（３）に、提供される及び／又は取り付けできる拘束部分（１）が、さらに提供されており、
該拘束部分（１）は前記ロッド形状部材（２）と前記接続部分（３）とが互いに解放されないように固定しつつ、互いに軸方向へ相対移動を可能とし、サークリップの形状をした前記拘束部分（１）は、前記接続部分（３）および／または前記ロッド形状部材（２）に対して、半径方向に押されるように構成されることを特徴とする家具部分。
【請求項２】
前記接続部分（３）は前記ロッド形状部材（２）の受領手段（４２）内に挿入されるピン（３０）であることを特徴とする請求項１記載の家具部分。
【請求項３】
前記接続部分（３）は前記ロッド形状部材（２）が挿入される受領手段であることを特徴とする請求項１記載の家具部分。
【請求項４】
前記ロッド形状部材（２）は引出し（１０１）のための同期ロッド（２０）であり、
該同期ロッド（２０）は歯車（２１）または左側延出レール（１１１）と右側延出レール（１１２）の延出動作を同期化させるローラを左右にて駆動させることを特徴とする請求項１から３のいずれかに記載の家具部分。
【請求項５】
前記ロッド形状部材（２）は家具フラップ扉（１０２）のための同期ロッド（２０）であり、前記家具フラップ扉（１０２）を駆動するために左側制御アーム（１２１）と右側制御アーム（１２２）の旋回運動を同期化させることを特徴とする請求項１から３のいずれかに記載の家具部分。
【請求項６】
前記拘束部分（１）は一体型であることを特徴とする請求項１から５のいずれかに記載の家具部分。
【請求項７】
前記拘束部分（１）はプラスチック製であることを特徴とする請求項１から６のいずれかに記載の家具部分。
【請求項８】
前記拘束部分（１）は工具を使用せずに装着及び／又は取り外しできることを特徴とする請求項１から７のいずれかに記載の家具部分。
【請求項９】
前記接続部分（３）と前記ロッド形状部材（２）はトルクを伝達するための断面が環状とは異なった外側形状であることを特徴とする請求項１から８のいずれかに記載の家具部分。
【請求項１０】
前記拘束部分（１）は前記ロッド形状部材（２）及び／又は前記接続部分（３）に提供されていることを特徴とする請求項１から９のいずれかに記載の家具部分。
【請求項１１】
前記拘束部分（１）は前記ロッド形状部材（２）と一体型に提供されているか、または前記接続部分（３）と一体型に提供されていることを特徴とする請求項１から１０のいずれかに記載の家具部分。
【請求項１２】
前記拘束部分（１）は前記ロッド形状部材（２）または前記接続部分（３）に弾性的に提供されていることを特徴とする請求項１から１１のいずれかに記載の家具部分。
【請求項１３】
前記拘束部分（１）は、半径方向弾性ラッチ突起部（４１）であり、前記ロッド形状部材（２）または前記接続部分（３）の前記受領手段（４２）に突入する半径方向弾性ラッチ部分（４０）を有することを特徴とする請求項２記載の家具部分。
【請求項１４】
前記半径方向弾性ラッチ突起部（４１）である前記半径方向弾性ラッチ部分（４０）は工具を使用せずに利用できることを特徴とする請求項１３記載の家具部分。
【請求項１５】
前記接続部分（３）及び／又は前記ロッド形状部材（２）への取り付けが完了すると、前記拘束部分（１）は前記接続部分（３）及び／又は前記ロッド形状部材（２）に対して長手軸方向に移動可能であるか、あるいは前記接続部分（３）または前記ロッド形状部材（２）に提供された前記拘束部分（１）は前記接続部分（３）及び／又は前記ロッド形状部材（２）に対して長手軸方向に移動可能であることを特徴とする請求項１から１４のいずれかに記載の家具部分。
【請求項１６】
前記接続装置（１００）はロッド形状部材（２）と２つの接続部分（３、３０）とを有しており、前記ロッド形状部材（２）は前記２つの接続部分（３、３０）の間で２つの拘束部分（１）によって解放されないように固定できることを特徴とする請求項１から１５のいずれかに記載の家具部分。
【請求項１７】
前記移動可能に取り付けられた家具部分（１１０）は引出し（１０１）または家具フラップ扉（１０２）であることを特徴とする請求項１から１６のいずれかに記載の家具部分。
【請求項１８】
請求項１から１７のいずれかに記載の家具部分（１１０）を少なくとも１つ含んだ家具（１２０）。
【請求項１９】
請求項１から１７のいずれかに記載の家具部分（１１０）のために、ロッド形状部材（２）を接続部分（３）と共に弾性的に保持する、少なくとも１つのバネ（４）により、前記ロッド形状部材（２）を前記接続部分（３）に接続するための接続装置（１００）であって、前記ロッド形状部材（２）と前記接続部分（３）に取り付けられ、前記ロッド形状部材（２）と前記接続部分（３）とが互いに解放されないように固定する拘束部分が提供されていることを特徴とする接続装置。
【発明の詳細な説明】
【技術分野】
【０００１】
本発明はトルク伝達シャフト、特に同期ロッドを含んだ家具部分に関する。
【０００２】
このシャフトは、一方のシャフト部分がロッド形状部材の形態であり、他方のシャフト部分が接続部分の形態である少なくとも２つのシャフト部分と、特にそのロッド形状部材をその接続部分に弾性的に保持する少なくとも１つのバネを備えた、ロッド形状部材を接続部分に接続するための接続装置とを有している。
【０００３】
本発明は少なくとも一つの可動家具部分を含んだ家具にも関する。
【背景技術】
【０００４】
従来技術に属するそのような家具部分は多く存在する。これらは例えば側壁によって引出しの内部に収納された内容物を安定させるためのレールの接続装置を有する引出しにとの関係で使用されている。
【０００５】
そのような家具部分の使用の別な領域は例えば移動式引出しである。例えばユリウス  ブルム  ＧｍｂＨのＡＴ４１０１６２Ｂ（１９９９年３月１７日）では家具部分の接続装置を開示している。家具枠体上を移動可能な引出しの動作を安定させるための装置では、ロッド形状部材は互いの引き込みおよび引き出し動作において左側と右側の延出レールを同期化させる同期ロッドの形態である。この場合、トルクは同期ロッドによって一方から他方へと伝達される。
【０００６】
そのような家具部分の別な使用形態は家具のフラップ扉に関しても知られている。このように例えばＥＰ１８７５０２６Ｂ１（２００６年４月１４日）は両側壁を有する家具について開示しており、それぞれの側壁にはフラップ扉の動作のそれぞれの制御装置が配置されており、制御装置はその装置の同期動作のために同期ロッド（ロッド形状部材）によって接続されており、同期ロッドは、同期ロッドを制御装置の回転可能な部分に解放可能に接続するため、少なくとも一つの端領域に固定装置（接続装置に対応する）を有する。
【発明の概要】
【発明が解決しようとする課題】
【０００７】
本発明の目的は、トルク伝達シャフトと、ロッド形状部材を接続部分に接続するための接続装置とを有する、従来技術に勝る可動家具部分の提供である。
【課題を解決するための手段】
【０００８】
この目的は請求項１の特徴によって達成される。
【０００９】
拘束部分の使用によって、製造時に組み立てられている部材の輸送時にしばしば発生する接続部分のロッド形状部材からの自然脱落の防止を可能にする。
【００１０】
拘束部分がない場合には、不都合なことにロッド形状部材が自身の重みと慣性のために下がって接続部分から外れることがある。拘束部分は輸送時にロッド形状部材が意図に反して外れることを防止するため、輸送時の安定保持手段として作用する。
【００１１】
家具がその装着位置に装着されると、ロッド形状部材の機能を接続部分と共に妨害しないよう、拘束部分はその組み立て位置に留まることができる。
【００１２】
複数回使用するため、家具の組み立て後に拘束部分の機能が不要になったとき、拘束部分を再び外すことも想定できることは理解されよう。
【００１３】
本発明の別な利点は添付の従属請求項に定義されている。
【００１４】
接続部分がロッド形状部材の受領手段内に挿入されるピンの形態であることが特に有利であることがわかっている。このような形態は能動的なロック接続を達成させ、安定した構造に貢献する。
【００１５】
１好適実施態様では、接続部分はロッド形状部材が挿入される受領手段の形態である。これも安定した構造に貢献する。
【００１６】
さらに、ロッド形状部材が引出しの同期ロッドであることが好ましく、左右の同期ロッドは左右の延出レールの延出運動を同期化させる歯車またはローラを駆動させる。このように、トルクは延出レールの一方から他方に伝達され、引出しの一定の引き出し動作および押し込み動作に貢献する。
【００１７】
ロッド形状部材が、家具フラップ扉を駆動させる左右の制御アームの旋回運動を同期化させる家具フラップ扉のための同期ロッドであることが特に有利であることが分かっている。これは家具フラップ扉のねじれを防止する。
【００１８】
拘束部分が一体型であることが特に好ましい。一体型拘束部分の使用は組み立てが非常に迅速に実行されることを意味し、作業時間のコストを抑制することができる。
【００１９】
この点で、拘束部分がプラスチック製であることが特に有利であることが分かっている。プラスチック製の拘束部分は例えば射出成型プロセスによって高精度で有利に製造できる。
【００２０】
１好適実施態様では、工具を使用せずに拘束部分を装着および/または取り外すことができる。工具を使用しない装着と取り外しは組み立て時間の短縮に貢献する。さらにその結果、拘束部分を単独の家具に関してだけでなく、複数回の再使用にも利用できる。
【００２１】
拘束部分がクリップ形状であることが有利であることが分かっている。クリップ形状は拘束手段を迅速かつ容易にスナップ留めできることを意味し、装着時間を短縮することもできる。
【００２２】
拘束部分を接続部分および/またはロッド形状部材にスナップリング形態で放射状に押し込むように設計することが有利であることが分かっている。放射状スナップリング形態で拘束部分を所定位置に押し込むことで迅速に装着でき、安定した状態で接続させる。
【００２３】
１つの可能な実施態様では、接続部分とロッド形状部材はトルクの伝達のため、断面において環状とは異なった外側形状である。トルクの伝達とは、同期化がロッド形状部材の左側からその右側へと実行されることを意味する。
【００２４】
拘束部分がロッド形状部材および/または接続部分に提供されていることが特に有利であることが分かっている。
【００２５】
１好適実施態様では、拘束部分はロッド形状部材と一体型に提供されるか、または接続部分と一体型に提供される。
【００２６】
拘束部分はロッド形状部材または接続部分に弾性的に提供されることもできる。
【００２７】
拘束部分が、ロッド形状部材または接続部分の受領手段内に突入する、好適には半径方向弾性ラッチ突起部（放射状の弾性ラッチ突起部）の形態である、半径方向弾性ラッチ部分（放射状の弾性ラッチ部分）を有していることが特に有利であることが分かっている。
【００２８】
特に好適には、半径方向弾性ラッチ部分（好適には半径方向弾性ラッチ突起部）は工具を使用せずに作用可能である。
【００２９】
特に好適には、接続部分および/またはロッド形状部材への取り付けの完了後、拘束部分は接続部分および/またはロッド形状部材に対して長手軸方向に移動可能であるか、あるいは接続部分またはロッド形状部材に提供された拘束部分は接続部分および/またはロッド形状部材に対して長手軸方向に移動可能である。このように、拘束部分または拘束手段の装着後でもロッド形状部材を接続部分に対して移動させることが可能である。
【００３０】
特許保護は請求項１から１２のいずれかに記載の少なくとも１つの接続装置を有する可動家具部分にも求められ、この可動家具部分によって拘束部分はロッド形状部材と接続部分とが解放されないように固定する。
【００３１】
この点で、可動家具部分のために、接続装置は１つのロッド形状部材と２つの接続部分を有しており、実質的にロッド形状部材は２つの接続部分の間で解放されないように２つの拘束部分によって固定される。
【００３２】
特に好適な特徴では、可動家具部分は引出しまたは家具フラップ扉の形態である。
【００３３】
特定の場合には、特許保護は解説した実施態様の少なくとも１つに記載された少なくとも１つの可動家具部分を有する家具にも求められる。
【００３４】
本発明のさらなる詳細および利点は、以降において図面に示された実施例に関連する詳細な説明によってさらに明確になる。
【図面の簡単な説明】
【００３５】
【図１ａ】接続装置を備えた右側延出ガイドの後方分解斜視図である。
【図１ｂ】図１ａの詳細図である。
【図２ａ】接続装置が組み立て状態である図１ａの後方斜視図である。
【図２ｂ】図２ａの詳細図である。
【図３ａ】１つの同期ロッドと２つの接続装置とを備えた２本の延出レールの背面図であり、同期ロッドの片側は接続部分に接続されており、他方側は未接続状態である。
【図３ｂ】図３ａの詳細図である。
【図３ｃ】図３ａの詳細図である。
【図４ａ】図３ａと同様な後方図であり、同期ロッドと接続部分との間の２つの接続部が断面図で提供されている。
【図４ｂ】図４ａの詳細図である。
【図４ｃ】図４ａの詳細図である。
【図５ａ】２つの拘束部分が装着されている図３ａと図４ａと同様な後方断面図である。
【図５ｂ】図５ａの詳細図である。
【図５ｃ】図５ａの詳細図である。
【図５ｄ】バネを有さず、拘束部分を備えた接続装置の平面図である。
【図５ｅ】図５ｄの断面図である。
【図６ａ】１つの同期ロッドと２つの接続装置とを備えた２本の延出レールの後方斜視図であり、同期ロッドの片側は接続部分に接続されており、他方側は未接続状態である。
【図６ｂ】図６ａの詳細図である。
【図６ｃ】図６ａの詳細図である。
【図７ａ】図６ａと同様の後方図であり、同期ロッドと接続部分との間で両側に接続部が提供されている。
【図７ｂ】図７ａの詳細図である。
【図７ｃ】図７ａの詳細図である。
【図８ａ】２本の延出レールを備えた引出しの背面図であり、接続部分内に拘束部分が装着された状態であり、２本の延出レールのための同期装置を備えている。
【図８ｂ】図８ａの詳細図である。
【図８ｃ】図８ａの詳細図である。
【図９ａ】家具枠体、引出し、および延出レール、および２つの接続装置を備えた同期装置を備えた家具を示している。
【図９ｂ】家具枠体と、接続装置を備えた左右の制御アームの旋回運動のための同期装置を備えた家具フラップ扉とを備えた家具を示している。
【図９ｃ】家具枠体と、レールを備えた引出しとを備えた家具を示している。
【図１０ａ】拘束部分としての弾性ラッチ部分を備えた別な接続装置の斜視図である。
【図１０ｂ】図１０ａの詳細図である。
【図１０ｃ】拘束部分としての弾性ラッチ部分を備えた別な接続装置の斜視図である。
【図１０ｄ】図１０ｃの詳細図である。
【発明を実施するための形態】
【００３６】
図１は、引出し延出ガイドの後方斜視図である。引出し延出ガイドは右側延出レール１１２を有している。右側延出レール１１２を左側延出レール１１１（図３ａ参照）と同期化させるため、右側延出レール１１２はその後方領域に左側延出レール１１１と同期して出入りする同期装置を有している。同期装置はこの場合には接続装置１００によって延出レール１１１と１１２に接続されている。
【００３７】
この好適実施例で工具を使用せずに達成できる接続は、拘束部分１によって共に接続されており、互いの解放を防止するように固定された接続部分３とロッド形状部材２を主に利用する。
【００３８】
図１ｂは図１ａの詳細図であり、接続装置１００が分解図で示されている。接続される部分２と３は、この好適実施例ではピン３０と同期ロッド２０の形態であり、一方が他方に装着された後に拘束部分１によってその状態に維持される。トルクを伝えるため、ピン３０はその端に歯車３１の形態である太くなった部分を有している。同期ロッド２０との組み立て状態では、歯車３１は同期ロッド２０の受領手段内の雌ネジ２３（図６ｂ参照）と係合する。ピン３０が同期ロッド２０から外れないように拘束部分１が提供されており、この好適実施例では、一体型でプラスチック製である。この好適実施例では、拘束部分１はクリップ形状であり、すなわちピン３０である接続部分にクリップ式（サークリップのように）に放射状に（半径方向へ）押し込まれ、同期ロッド２０にクリップ式に押し込まれる。
【００３９】
拘束部分１がピン３０と同期ロッド２０に装着されると、同期ロッド２０のフランジ２２が拘束部分１の開口部１２へとラッチ式に係合するので、同期ロッド２０は拘束部分１に対してもはや移動できない。
【００４０】
一方、拘束部分１のクリップ形態部１１は確かにピン３０を包囲するが、ピン３０上ではまだ移動することができるため、ピン３０は拘束部分１に対して、したがって同期ロッド２０に対して移動することができる。これは拘束部分１のクリップ形態部１１がピン３０の太い部分３１の背後でのみ係合するためであり、よって太い部分３１を越えて軸方向にもはや引き込まれることはないが、そこからは軸方向に移動することはできる。
【００４１】
図２ａは組み立て状態の図１ｂに示す接続装置１００を示している。
【００４２】
図２ｂでは、この好適実施例では同期ロッド２０の形態であるピン３０がロッド形状部材２内に取り付けられている状態が明示されている。これら２つの部分２０と３０はもはや互いに離れることがないように、拘束部分１がピン３０と同期ロッド２０にクリップ式に装着される。この場合、同期ロッド２０のフランジ２２は拘束部分１の開口部１２内に設置される。拘束部分１のクリップ形態部１１はピン形態である接続部分３を部分３０にて囲む。
【００４３】
よって、特に輸送時に、ロッド形状部材２が接続部分３から解放されることはない。
【００４４】
好適な組立工程は図３から図５および図６から図８でそれぞれ解説されている。
【００４５】
図３ａは２本の延出レール１１１と１１２の同期ロッドの背面図である。この場合、同期装置はトルク伝達シャフト１０を有しており、シャフト１０は少なくとも２つのシャフト部分を有しており、一方のシャフト部分はロッド形状部材の形態であり、他方のシャフト部分は接続部分３の形態である。この場合、同期ロッド２０の形態のロッド形状部材２は２つの接続装置１００によって左側延出レール１１１と右側延出レール１１２に接続されている。
【００４６】
第１のステップでは（図３ｃ）、同期ロッド２０は、本好適実施例ではピン３０の形態の接続部分３の上に押し込まれる。同期ロッド２０内の盲穴の底部は本好適実施例ではバネの作用で弾性を有する。バネ４は同期ロッド２０によって圧縮される。同期ロッド２０とピン３０との間のスペース内の反対側（図３ｂ参照）でも同様であるが、同期ロッド２０とピン３０との重なり合う関係によって、同期ロッド２０はこの側で挿入できる。本好適実施例では、同期ロッド２０はこの側にバネも有する。これで任意の順序での組み立ての実行が可能になる。
【００４７】
同期ロッド２０が、例えば同期ロッド２０の中央に提供されており、同期ロッド２０の両側からの力に作用される１つのバネ４を有することも想定内である。
【００４８】
この好適実施例では、既に前述したように接続部分３はピン３０の形態であるが、接続部分３が受領手段の形態であることも同様に想定でき、この場合には本好適実施例では同期ロッド２０の形態であるロッド形状部材２が挿入される。
【００４９】
図４ａは、可動に取り付けられた家具部分１１０（本実施例では引出し１０１）の左右の延出レール１１１と１１２の両方の接続装置１００にて同期ロッド２０が既に装着されているトルク伝達シャフト１０の状態を示している。
【００５０】
図４ｂと図４ｃの詳細図に明示されているように、バネ４は応力から開放され、よって同期ロッド２０は２本のピン３０上に位置する。
【００５１】
特にこの状況では、同期ロッド２０がピン３０から離脱する可能性が発生する。この不都合な状況は、特に例えば、輸送時に比較的に頻繁に発生するが、家具１２０（図９ａから図９ｃ参照）または家具部分１１０（図９ａから図９ｃ参照）が９０℃傾斜し、よって同期ロッド２０自身の重量がバネ４に荷重を与えることで同期ロッド２０の他端にてピン３０から外れて脱落することがある。
【００５２】
これは、図５ａから図５ｅに示すような拘束部分１の装着によって防止できる。
【００５３】
詳細図５ｂ、５ｃ、５ｄおよび５ｅから理解されようが、拘束部分１がピン３０にクリップ式に固定されており、同期ロッド２０の形態のロッド形状部材２のフランジ２２が拘束部分１の開口部１２（図１ｂから図２参照）にラッチ式に係合するため、拘束部分１は、接続部分３からのロッド形状部材２の脱落を防止する。
【００５４】
拘束部分１の装着後でも、ロッド形状部材２（すなわち本好適実施例では同期ロッド２０）は接続装置に対して長手軸方向に移動でき、拘束部分１の装着後はピン３０に対して長手軸方向に移動できる。
【００５５】
図５ａから図５ｃはバネ４を使用した好適実施例を示している。好適にはバネ４を有さない図５ｄと図５ｅの変形例によって示されているように、これらは接続装置１００の機能には必須ではない。拘束部分なしで供給または製造されている既存のシステムの場合には、拘束部分は後付けすることもでき、これは本発明の別な利点である。
【００５６】
図６から図８は、図３から図５との関連で既に解説したものの斜視図であり、すなわち拘束部分１の補助によって、接続部分３へロッド形状部材２を取り付ける工程を示している。
【００５７】
この点において、図６は図３に対応し、図７は図４に対応し、図８は図５に対応し、よって図３から図５にて解説したものは全て図６から図８で解説したものに対応する。
【００５８】
図６ｂには、ピン３０が、同期ロッド２０の形態であるロッド形状部材２にトルクを伝達するための歯車の形態である太い部分３１を有する状態が明示されている。この目的のため、同期ロッド２０はピン３０上の歯車３１に対応して受領手段４１内に雌ネジ２３を有している。これには歯車３１とそれに対応する雌ネジ２３は必ずしも関与せず、断面が環状とは異なる任意のその他の外面形状であることもでき、接続部分３とロッド形状部材２がトルクを伝達できるように関与させなければならないことは理解されよう。
【００５９】
図８ａは、左側延出レール１１１と右側延出レール１１２に取り付けられた、引出し１０１である、可動に取り付けられた家具部分１１０の背面斜視図である。この構造では、可動に取り付けられた家具部分１１０はトルク伝達シャフト１０を有しており、シャフト１０は少なくとも２つのシャフト部分を有しており、一方のシャフト部分はロッド形状部材２の形態であり、他方のシャフト部分は接続部分３の形態である。
【００６０】
この場合には、引出し１０１には接続部分３を備えたロッド形状部材２のための接続装置１００が配置されており、本好適実施例では、ロッド形状部材２は接続部分３とロッド形状部材２とを弾性的に保持するバネ４（図示せず、図３ｂと図３ｃを参照）を有しており、この構造はロッド形状部材２と接続部分３とに装着できる拘束部分１を含んでおり、ロッド形状部材２と接続部分３とを解放されないように固定している。拘束部分１をロッド形状部材２または接続部分３に設置し、ロッド形状部材２と接続部分３とを互いから離れないように固定させることもできることは理解されよう（図１０ａから図１０ｄに示す対応実施例とその解説を参照）。
【００６１】
本実施例は好適には、同期ロッド２０の形態であるロッド形状部材２の両側に配置され、ロッド形状部材２からの接続部分３の脱落を防止する２つの拘束部分１を有している。
【００６２】
本好適実施例では、引出しに関連して接続装置１００が使用されている。家具フラップ扉を駆動する目的で、左側と右側の制御アームの旋回運動を同期化させるために家具フラップ扉に使用できることも理解されよう。別な可能な使用状況は例えば引出しのレール等に関連する使用である。
【００６３】
図８ｂでは、ロッド形状部材２は引出し１０１の同期ロッド２０の形態であり、同期ロッド２０は、左側延出レール１１１と右側延出レール１１２の引き込みおよび延出動作を同期化させる歯車２１を左右にて駆動させる。
【００６４】
組み立てが完了し、輸送された後にも、拘束部分１は接続装置１００上に留まることができるが、拘束部分１を好適には工具を使用せずに再び外して次回の引出しまたは類似した家具のための輸送目的に使用できることは理解されよう。
【００６５】
図９ａは、家具枠体１０３内に配置された可動に取り付けられた家具部分１１０（引出し１０１）を備えた家具１２０を示している。引出し１０１は同期装置によって互いに同期化される左側延出レール１１１と右側延出レール１１２とを有している。同期装置には接続装置１００（ここでは非図示、図８ａから図８ｃ参照）が提供されており、拘束部分１によってロッド形状部材２と接続部分３とを外れないように固定している。
【００６６】
図９ｂは、家具枠体１０３と、可動に取り付けられた家具部分１１０（家具フラップ扉１０２）とを備えた家具１２０を示している。左側制御アーム１２１（ここでは非図示、家具フラップ扉１０２で隠遮）と右側制御アーム１２２の旋回運動が同期装置によって同期化され、その同期装置は接続装置１００（ここでは非図示、家具フラップ扉１０２で隠遮）を有しており、拘束部分１によってロッド形状部材２と接続部分３とが外れないように固定している。
【００６７】
図９ｃは家具枠体１０３と、可動に取り付けられた家具部分（引出し１０１）とを有する家具１２０を示しており、引出し１０１はレール１０４を有している。本好適実施例では、レール１０４は接続装置１００とその拘束部分１の手段で、それがレール１０４のロッド形状部材２をレール１０４の接続部分３（非図示、拘束部分１で隠遮）から外れないように固定するよう引出し１０１内に取り付けられている。レール１０４の場合には通常ではロッド形状部材２によってトルクは伝達されない。しかし、実施例によってはレール１０４によって前方パネルを傾かせることができ、傾斜の調節が特にレール１０４の回転によって実行されるので、レール１０４はトルクを伝達し、よってレール１０４はトルク伝達シャフト１０になる。
【００６８】
図１０ａはロッド形状部材２の斜視図であり、これは本実施例では同期ロッド２０の形態でもある。
【００６９】
本好適実施例では、拘束部分１は別部材ではなく、ロッド形状部材２に直接的に提供されており、好適には拘束部分１とロッド形状部材２は一体型形状である。
【００７０】
図１０ｂに明示するように、この場合には拘束部分１はロッド形状部材２に弾性的に提供されている。この構造では、拘束部分１は半径方向弾性ラッチ部分４０（本好適実施例では半径方向弾性ラッチ突起部４１の形態）を有する。この半径方向弾性ラッチ突起部４１（半径方向へ弾性を有するラッチ突起部）はロッド形状部材２の受領手段４２へと突入し、それに接続部分３（ここでは図示せず）が挿入されることで作用力ロック接続部を提供している。
【００７１】
接続部分３を単純に押し込むことで、半径方向弾性ラッチ突起部４１は外側に付勢され、接続部分３は受領手段４２内に移動できる。接続部分３が受領手段４２内に入ると、半径方向弾性ラッチ突起部４１が再び上方に反発し、受領手段４２へと突入するこの突起（すなわち突起部４１）によって、ロッド形状部材２の受領手段４２から接続部分３が再び外れるのを防止する。再び解除が必要な場合には、ラッチ突起部４１を外側に付勢し、同時に接続部分３を引き出すことによって、接続部分３をロッド形状部材２から外すことができる。
【００７２】
半径方向弾性ラッチ部分４０（半径方向へ弾性を有するラッチ部分）の大きな利点は、工具を使用せずに作動可能であること、すなわち接続部分３を受領手段４２へと単純に押し込むことで自動ロックさせることが可能なことである。
【００７３】
接続部分３がロッド形状部材２の受領手段４２内に配置され、半径方向弾性ラッチ突起部４１が接続部分３の離脱を防いだ後でも、拘束部分１はロッド形状部材２からの接続部分３の抜け落ちを防止するだけであり、接続部分３をロッド形状部材２にロック固定しないので、接続部分３はロッド形状部材２に対して常に長手軸方向に移動できる。
【００７４】
図１０ｃは、図１０ａと図１０ｂとの関連で解説したごとくの、ロッド形状部材の別な斜視図である。
【００７５】
この図では、拘束部分１がロッド形状部材２と一体型であることが明示されている。
【００７６】
その他に関しては、図１０ａと図１０ｂに関連する解説は図１０ｃと図１０ｄにも当てはまる。
【００７７】
本実施例では拘束部分１はロッド形状部材２に提供されている。当業者にとっては、拘束部分１を接続部分３に提供し、そこでロッド形状部材２を拘束することも同様に可能であることは自明であろう。
【図１ａ】
0006018085.tif 000002
【図１ｂ】
0006018085.tif 000003
【図２ａ】
0006018085.tif 000004
【図２ｂ】
0006018085.tif 000005
【図３ａ】
0006018085.tif 000006
【図３ｂ】
0006018085.tif 000007
【図３ｃ】
0006018085.tif 000008
【図４ａ】
0006018085.tif 000009
【図４ｂ】
0006018085.tif 000010
【図４ｃ】
0006018085.tif 000011
【図５ａ】
0006018085.tif 000012
【図５ｂ】
0006018085.tif 000013
【図５ｃ】
0006018085.tif 000014
【図５ｄ】
0006018085.tif 000015
【図５ｅ】
0006018085.tif 000016
【図６ａ】
0006018085.tif 000017
【図６ｂ】
0006018085.tif 000018
【図６ｃ】
0006018085.tif 000019
【図７ａ】
0006018085.tif 000020
【図７ｂ】
0006018085.tif 000021
【図７ｃ】
0006018085.tif 000022
【図８ａ】
0006018085.tif 000023
【図８ｂ】
0006018085.tif 000024
【図８ｃ】
0006018085.tif 000025
【図９ａ】
0006018085.tif 000026
【図９ｂ】
0006018085.tif 000027
【図９ｃ】
0006018085.tif 000028
【図１０ａ】
0006018085.tif 000029
【図１０ｂ】
0006018085.tif 000030
【図１０ｃ】
0006018085.tif 000031
【図１０ｄ】
0006018085.tif 000032